(57)【特許請求の範囲】
【請求項１】
バンド連結ピンや腕時計ケースの裏蓋等を外すための腕時計用工具であって、
略円筒状の工具本体内部に、
先端に腕時計用工具部品が交換可能に固定され前記工具本体より先端が突出する摺動軸と、
圧縮バネと該圧縮バネにより前記摺動軸方向に付勢されて摺動する打撃部材と、
前記圧縮バネが設定圧縮量に達したときに前記圧縮バネの力を解放するトリガー部材と、
から成る打撃機構を備え、
前記工具本体は、頭部筒体と該頭部筒体と螺合する中央筒体と、該中央筒体と螺合する先端筒体とより構成され、
前記中央筒体内部に、小径穴を持った仕切部が形成され、
前記仕切部の前記先端筒体側には、前記小径穴から前記中央筒体の内壁につながる斜面が形成され、
前記仕切部の前記頭部筒体側に配設された前記打撃部材には、中心穴が形成され、
前記仕切部の前記先端筒体側に配設された前記トリガー部材は、
前記打撃部材の前記中心穴に挿通可能な小径部と、前記仕切部の前記小径穴に挿通可能であると共に前記摺動軸後端と接する大径部とを有するトリガー軸と、
前記トリガー軸を傾斜させつつ前記摺動軸方向に付勢する異形コイルバネとから成り、
前記摺動軸先端を押圧することにより、傾斜した前記トリガー軸が前記打撃部材を介して前記圧縮バネを圧縮し、
前記トリガー軸の前記大径部が前記小径穴に嵌入する瞬間に、前記トリガー軸が直立するように構成され、
前記打撃機構により前記摺動軸後端を打撃することにより、前記腕時計用工具部品に瞬間的な強い力が加わるように構成したことを特徴とする腕時計用工具。
【請求項２】
前記中央筒体と前記頭部筒体内とに配設された前記圧縮バネは、前記中央筒体と前記頭部筒体との螺合長さを調節することによりバネ力を調節できるようにしたことを特徴とする請求項１に記載の腕時計用工具。
【請求項３】
前記腕時計用工具の頭部がやっとこの一方作用部の内側に係合し、
前記工具本体または前記摺動軸がやっとこの他方作用部の貫通穴に挿通されると共に、
前記工具本体を前記一方作用部側へ付勢するバネと、前記他方作用部外側に腕時計外装部品固定治具とを備えていることを特徴とする請求項１から２のいずれかに記載の腕時計用工具。
【請求項４】
前記摺動軸先端への腕時計用工具部品取付が、軸と軸穴との圧入、軸と止めネジ穴付軸穴とのネジ止め、雄ネジと雌ネジとの螺合、凹部と凸部との係合、テーパーを有する軸と軸受との係合の中の少なくとも一つで行われていることを特徴とする請求項１から３のいずれかに記載の腕時計用工具。
【請求項５】
前記摺動軸先端には、腕時計用工具部品取付用の係合用溝が形成され、
前記腕時計用工具部品には、その中心部に係止穴ａが形成されているとともに、前記係止穴の内部には、凹溝が形成されており、この凹溝の内部に、弾性部材からなるＯ−リング部材が装着され、
前記Ｏ−リング部材が、摺動軸の係合用溝内に嵌合することによって、摺動軸の先端に腕時計用工具部品が着脱自在に装着することができるように構成されていることを特徴とする請求項４に記載の腕時計用工具。
【請求項６】
前記腕時計用工具部品の基端部には、柔軟な部材からなる当接部材が設けられていることを特徴とする請求項１から５のいずれかに記載の腕時計用工具。
【請求項７】
前記腕時計用工具部品として、バンドの連結ピンを外すためのピンまたは異形ピンが着脱自在に固定されていることを特徴とする請求項１から６のいずれかに記載の腕時計用工具。
【請求項８】
前記バンドの連結ピンを外すためのピンが、ニッケル・チタン（Ｎｉ−Ｔｉ）、ニッケル・チタン・コバルト（Ｎｉ−Ｔｉ−Ｃｏ）を主成分とする合金からなる超弾性金属材料で形成されていることを特徴とする請求項１から７のいずれかに記載の腕時計用工具。
【請求項９】
前記バンドの連結ピンを外すためのピンが、先端が擂り鉢状の凹部が形成された押し込みピンであることを特徴とする請求項１から８のいずれかに記載の腕時計用工具。
【請求項１０】
前記バンドの連結ピンを外すためのピンが、先端に連結ピンが嵌入する盲穴からなる凹部が形成された押し込みピンであることを特徴とする請求項１から８のいずれかに記載の腕時計用工具。
【請求項１１】
前記腕時計用工具部品として、ベゼルまたは裏蓋を外すためのコジ開けが着脱自在に固定されていることを特徴とする請求項１から６のいずれかに記載の腕時計用工具。
【請求項１２】
バンド連結ピンや腕時計ケースの裏蓋等を外すための腕時計用工具であって、
略円筒状の工具本体内部に、
先端に腕時計用工具部品が交換可能に固定され前記工具本体より先端が突出する摺動軸と、
圧縮バネと該圧縮バネにより前記摺動軸方向に付勢されて摺動する打撃部材と、
前記圧縮バネが設定圧縮量に達したときに前記圧縮バネの力を解放するトリガー部材と、
から成る打撃機構を備え、
前記工具本体は、頭部筒体と該頭部筒体と螺合する中央筒体と、該中央筒体と螺合する先端筒体とより構成され、
前記中央筒体内部に、小径穴を持った仕切部が形成され、
前記仕切部の前記先端筒体側には、前記小径穴から前記中央筒体の内壁につながる斜面
が形成され、
前記仕切部の前記頭部筒体側に配設された前記打撃部材には、中心穴が形成され、
前記トリガー部材は、
前記中央筒体の仕切部の下方に配設され、その上端部が、傾斜した擂り鉢状の当接面が形成されるとともに、上下に貫通する貫通穴が形成されたトリガー軸と、
前記トリガー軸貫通穴に挿通可能で、かつ打撃部材の中心穴に嵌入可能な摺動軸の上方部分と、
上端部が略ドーム形状に形成された打撃部材とから構成され、
前記圧縮バネによって、前記打撃部材が下方に付勢されて、前記打撃部材の下端が、トリガー軸の上端の傾斜した擂り鉢状の当接面に当接して、その軸心が偏心するように構成されるとともに、
前記摺動軸先端を押圧することにより、摺動軸の上方部分が、打撃部材を上昇させて、内壁側に偏心した打撃部材を介して前記圧縮バネを圧縮し、
前記上昇した打撃部材の略ドーム形状の上端部が、中央筒体の貫通穴の内壁に沿って案内されて、打撃部材の軸心が中心よりに移動して、直立するように構成され、
前記打撃機構により前記摺動軸後端を打撃することにより、前記腕時計用工具部品に瞬間的な強い力が加わるように構成したことを特徴とする腕時計用工具。
【請求項１３】
前記摺動軸が上昇するにつれて、打撃部材が上昇し、打撃部材の下端の大径部に形成された斜面が、前記仕切部の斜面部に案内されることによって、その軸心が徐々に、内壁側から離れて、中心よりに移動しながら、打撃部材が突き上げてられて行くように構成されていることを特徴とする請求項１２に記載の腕時計用工具。
【請求項１４】
前記トリガー軸の下端と摺動軸との間に圧縮コイルバネが介装されており、
前記圧縮コイルバネのバネ力によって、トリガー軸が上方に付勢されて、その上端部の傾斜した擂り鉢状の当接面が、打撃部材の下端の大径部に当接するように構成されているとともに、
前記圧縮コイルバネのバネ力によって、摺動軸が下方側に付勢されて、先端筒体より摺動軸の先端が突出するように構成されていることを特徴とする請求項１２から１３のいずれかに記載の腕時計用工具。
【請求項１５】
時計バンドのバンド連結ピン挿入穴から連結ピンを取り外すために用いる腕時計用工具であって、
下端の内壁に内ネジ部が形成されるとともに、外壁には外ネジ部が形成されて略円筒状の上部筒体と、
前記上部筒体の内ネジ部に、着脱自在に螺合された外しピンと、
前記上部筒体の下方に、前記上部筒体の外ネジ部に、その内周に形成された内ネジ部を螺合することによって、着脱自在に装着された先細り外形を有する略円筒状の下部筒体とを備え、
前記下部筒体の上端の内周に形成された内ネジ部と、上部筒体の外ネジ部との螺合状態を調整することによって、外しピンの先端が、下部筒体の先端の貫通穴から突出する突出長さを調整可能に構成されていることを特徴とする腕時計用工具。
【請求項１６】
請求項１から１０、１２、１４から１５のいずれかに記載の腕時計用工具を用いて、時計バンドのバンド連結ピン挿入穴から連結ピンを取り外した後に、連結ピン挿入穴から連結ピンが完全に抜け切れない状態の場合に、連結ピンを取り外すために用いる腕時計用工具であって、
下端の内壁に内ネジ部が形成されるとともに、外壁には外ネジ部が形成されて略円筒状の上部筒体と、
前記上部筒体の内ネジ部に、着脱自在に螺合された外しピンと、
前記上部筒体の下方に、前記上部筒体の外ネジ部に、その内周に形成された内ネジ部を螺合することによって、着脱自在に装着された先細り外形を有する略円筒状の下部筒体とを備え、
前記下部筒体の上端の内周に形成された内ネジ部と、上部筒体の外ネジ部との螺合状態を調整することによって、外しピンの先端が、下部筒体の先端の貫通穴から突出する突出長さを調整可能に構成されていることを特徴とする腕時計用工具。
【請求項１７】
前記下部筒体の先端には、柔軟な部材からなる当接部材が設けられていることを特徴とする請求項１５から１６のいずれかに記載の腕時計用工具。
【請求項１８】
前記外しピンが、ニッケル・チタン（Ｎｉ−Ｔｉ）、ニッケル・チタン・コバルト（Ｎｉ−Ｔｉ−Ｃｏ）を主成分とする合金からなる超弾性金属材料で形成されていることを特徴とする請求項１５から１７のいずれかに記載の腕時計用工具。
【請求項１９】
略クリップ形状であって、一対のクリップ把持部材と、これらのクリップ把持部材とを基端部で湾曲した状態で連結することによって、弾性力を付与している連結部とから構成され、
前記クリップ把持部材の間に、時計バンドを挟持した状態で固定できるように構成するとともに、
前記連結部に、連結ピンの脱落を防止するために連結ピン保持用の貫通穴形状の凹部からなるピンキャッチャー部を形成したことを特徴とする把持ガイド部材。
【発明の詳細な説明】
【０００１】
【発明の属する技術分野】
本発明は、腕時計の外装部品であるバンド連結ピンやケース裏蓋等を外すための腕時計用工具に関する。
【０００２】
【従来の技術】
従来、腕時計のバンドにおいて、複数の駒をバンド連結ピンで連結しておき、バンド連結ピンを抜き差しして駒の数を加減することによってバンド長さを調整可能にしたものがある。この場合の抜き差しする連結ピンをアジャストピンという。また、バンド連結ピンはこの他にバンドの中留めを連結するのにも用いられている。このようなバンド連結ピンは駒等の中に埋没しているために、これを外す作業には専用のバンド連結ピン外し工具が必要である。
【０００３】
従来の一般的なバンド連結ピン外し工具の一例として、特許文献１（実用新案登録第２５２２９７３号）のものがある。この概要は底部の両端に側壁部を有するバンド受け台の一方の側壁部に回転可能な摺動軸を設け、摺動軸上の他方の側壁に溝を設けたものであり、バンド受け台に載置したバンドの厚さに対応できるようにするため、摺動軸に対して先端ピンを偏心した位置に取り付け、先端ピンでバンド連結ピンを押して溝側へ押し出すようにしたものであり、バンド連結ピンの位置が少々異なったバンドに対しても摺動軸を回転するだけで使用できるようにしたものである。
【０００４】
また、腕時計ケースの喰い付き構造の裏蓋を開けるためにも専用の工具が必要であり、従来一般的にはコジ開けが使用されている。
【０００５】
【特許文献１】
実用新案登録第２５２２９７３号
【発明が解決しようとする課題】
しかしながら、バンド連結ピンの挿入穴がつぶれたり駒間の穴位置がずれたりして、強い力を加えないとピンが抜けない場合があり、従来のバンド連結ピン外し工具では、先端ピンが曲がったり折れたりすることがあった。
【０００６】
また、人間の押す力には限界があり、バンド連結ピンが錆びたり、バンド連結ピンの挿入穴にゴミ等が付着した場合にもピンが抜けないことがあった。また、腕時計ケースの喰い付き裏蓋の場合も喰い付き部が変形したり、錆びたりした場合に、コジ開けでは外れない場合があった。何れの場合も強い力とコツが必要であった。
【０００７】
本発明は、このような従来の問題を解決するためになされたものであり、その目的は、従来の腕時計用工具で外すことのできなかったバンド連結ピンや腕時計ケースの裏蓋等を従来と同様の一定の力を加えるだけで容易に外すことのできる腕時計用工具を提供することである。
【課題を解決するための手段】
本発明の腕時計用工具は、バンド連結ピンや腕時計ケースの裏蓋等を外すための腕時計用工具であって、
略円筒状の工具本体内部に、
先端に腕時計用工具部品が交換可能に固定され前記工具本体より先端が突出する摺動軸と、
圧縮バネと該圧縮バネにより前記摺動軸方向に付勢されて摺動する打撃部材と、
前記圧縮バネが設定圧縮量に達したときに前記圧縮バネの力を解放するトリガー部材と、
から成る打撃機構を備え、
前記打撃機構により前記摺動軸後端を打撃することにより、前記腕時計用工具部品に瞬間的な強い力が加わるように構成したことを特徴とする。
【０００８】
また、本発明の腕時計用工具は、前記工具本体は、頭部筒体と該頭部筒体と螺合する中央筒体と、該中央筒体と螺合する先端筒体とより構成され、
前記中央筒体内部に、小径穴を持った仕切部が形成されていることを特徴とする。
【０００９】
また、本発明の腕時計用工具は、前記仕切部の前記先端筒体側には、前記小径穴から前記中央筒体の内壁につながる斜面が形成されていることを特徴とする。
【００１０】
また、本発明の腕時計用工具は、前記仕切部の前記頭部筒体側に配設された前記打撃部材には、中心穴が形成され、
前記仕切部の前記先端筒体側に配設された前記トリガー部材は、
前記打撃部材の前記中心穴に挿通可能な小径部と、前記仕切部の前記小径穴に挿通可能であると共に前記摺動軸後端と接する大径部とを有するトリガー軸と、
前記トリガー軸を傾斜させつつ前記摺動軸方向に付勢する異形コイルバネとから成り、
前記摺動軸先端を押圧することにより、傾斜した前記トリガー軸が前記打撃部材を介して前記圧縮バネを圧縮し、
前記トリガー軸の前記大径部が前記小径穴に嵌入する瞬間に、前記トリガー軸が直立することを特徴とする。
【００１１】
また、本発明の腕時計用工具は、前記中央筒体と前記頭部筒体内とに配設された前記圧縮バネは、前記中央筒体と前記頭部筒体との螺合長さを調節することによりバネ力を調節できるようにしたことを特徴とする。
【００１２】
また、本発明の腕時計用工具は、前記腕時計用工具の頭部がやっとこの一方作用部の内側に係合し、
前記工具本体または前記摺動軸がやっとこの他方作用部の貫通穴に挿通されると共に、
前記工具本体を前記一方作用部側へ付勢するバネと、前記他方作用部外側に腕時計外装部品固定治具とを備えていることを特徴とする。
【００１３】
また、本発明の腕時計用工具は、前記摺動軸先端への腕時計用工具部品取付が、軸と軸穴との圧入、軸と止めネジ穴付軸穴とのネジ止め、雄ネジと雌ネジとの螺合、凹部と凸部との係合、テーパーを有する軸と軸受との係合の中の少なくとも一つで行われていることを特徴とする。
【００１４】
また、本発明の腕時計用工具は、前記摺動軸先端には、腕時計用工具部品取付用の係合用溝が形成され、
前記腕時計用工具部品には、その中心部に係止穴ａが形成されているとともに、前記係止穴の内部には、凹溝が形成されており、この凹溝の内部に、弾性部材からなるＯ−リング部材が装着され、
前記Ｏ−リング部材が、摺動軸の係合用溝内に嵌合することによって、摺動軸の先端に腕時計用工具部品が着脱自在に装着することができるように構成されていることを特徴とする。
【００１５】
また、本発明の腕時計用工具は、前記腕時計用工具部品の基端部には、柔軟な部材からなる当接部材が設けられていることを特徴とする。
【００１６】
また、本発明の腕時計用工具は、前記腕時計用工具部品として、バンドの連結ピンを外すためのピンまたは異形ピンが着脱自在に固定されていることを特徴とする。
【００１７】
また、本発明の腕時計用工具は、前記バンドの連結ピンを外すためのピンが、ニッケル・チタン（Ｎｉ−Ｔｉ）、ニッケル・チタン・コバルト（Ｎｉ−Ｔｉ−Ｃｏ）を主成分とする合金からなる超弾性金属材料で形成されていることを特徴とする。
【００１８】
また、本発明の腕時計用工具は、前記バンドの連結ピンを外すためのピンが、先端が擂り鉢状の凹部が形成された押し込みピンであることを特徴とする。
【００１９】
また、本発明の腕時計用工具は、前記バンドの連結ピンを外すためのピンが、先端に連結ピンが嵌入する盲穴からなる凹部が形成された押し込みピンであることを特徴とする。
【００２０】
また、本発明の腕時計用工具は、前記腕時計用工具部品として、ベゼルまたは裏蓋を外すためのコジ開けが着脱自在に固定されていることを特徴とする。
【００２１】
また、本発明の腕時計用工具は、前記仕切部の前記頭部筒体側に配設された前記打撃部材には、中心穴が形成され、
前記トリガー部材は、
前記中央筒体の仕切部の下方に配設され、その上端部が、傾斜した擂り鉢状の当接面が形成されるとともに、上下に貫通する貫通穴が形成されたトリガー軸と、
前記トリガー軸貫通穴に挿通可能で、かつ打撃部材の中心穴に嵌入可能な摺動軸の上方部分と、
上端部が略ドーム形状に形成された打撃部材とから構成され、
前記圧縮バネによって、前記打撃部材が下方に付勢されて、前記打撃部材の下端が、トリガー軸の上端の傾斜した擂り鉢状の当接面に当接して、その軸心が偏心するように構成されるとともに、
前記摺動軸先端を押圧することにより、摺動軸の上方部分が、打撃部材を上昇させて、内壁側に偏心した打撃部材を介して前記圧縮バネを圧縮し、
前記上昇した打撃部材の略ドーム形状の上端部が、中央筒体の貫通穴の内壁に沿って案内されて、打撃部材の軸心が中心よりに移動して、直立するように構成されていることを特徴とする。
【００２２】
また、本発明の腕時計用工具は、前記摺動軸が上昇するにつれて、打撃部材が上昇し、打撃部材の下端の大径部に形成された斜面が、前記仕切部の斜面部に案内されることによって、その軸心が徐々に、内壁側から離れて、中心よりに移動しながら、打撃部材が突き上げてられて行くように構成されていることを特徴とする。
【００２３】
また、本発明の腕時計用工具は、前記トリガー軸の下端と摺動軸との間に圧縮コイルバネが介装されており、
前記圧縮コイルバネのバネ力によって、トリガー軸が上方に付勢されて、その上端部の傾斜した擂り鉢状の当接面が、打撃部材の下端の大径部に当接するように構成されているとともに、
前記圧縮コイルバネのバネ力によって、摺動軸が下方側に付勢されて、先端筒体より摺動軸の先端が突出するように構成されていることを特徴とする。
【００２４】
また、本発明の腕時計用工具は、時計バンドのバンド連結ピン挿入穴から連結ピンを取り外すために用いる腕時計用工具であって、
下端の内壁に内ネジ部が形成されるとともに、外壁には外ネジ部が形成されて略円筒状の上部筒体と、
前記上部筒体の内ネジ部に、着脱自在に螺合された外しピンと、
前記上部筒体の下方に、前記上部筒体の外ネジ部に、その内周に形成された内ネジ部を螺合することによって、着脱自在に装着された先細り外形を有する略円筒状の下部筒体とを備え、
前記下部筒体の上端の内周に形成された内ネジ部と、上部筒体の外ネジ部との螺合状態を調整することによって、外しピンの先端が、下部筒体の先端の貫通穴から突出する突出長さを調整可能に構成されていることを特徴とする。
【００２５】
また、本発明の腕時計用工具は、前記のいずれかに記載の腕時計用工具を用いて、時計バンドのバンド連結ピン挿入穴から連結ピンを取り外した後に、連結ピン挿入穴から連結ピンが完全に抜け切れない状態の場合に、連結ピンを取り外すために用いる腕時計用工具であって、
下端の内壁に内ネジ部が形成されるとともに、外壁には外ネジ部が形成されて略円筒状の上部筒体と、
前記上部筒体の内ネジ部に、着脱自在に螺合された外しピンと、
前記上部筒体の下方に、前記上部筒体の外ネジ部に、その内周に形成された内ネジ部を螺合することによって、着脱自在に装着された先細り外形を有する略円筒状の下部筒体とを備え、
前記下部筒体の上端の内周に形成された内ネジ部と、上部筒体の外ネジ部との螺合状態を調整することによって、外しピンの先端が、下部筒体の先端の貫通穴から突出する突出長さを調整可能に構成されていることを特徴とする。
【００２６】
また、本発明の腕時計用工具は、前記下部筒体の先端には、柔軟な部材からなる当接部材が設けられていることを特徴とする。
【００２７】
また、本発明の腕時計用工具は、前記外しピンが、ニッケル・チタン（Ｎｉ−Ｔｉ）、ニッケル・チタン・コバルト（Ｎｉ−Ｔｉ−Ｃｏ）を主成分とする合金からなる超弾性金属材料で形成されていることを特徴とする。
【００２８】
また、本発明の把持ガイド部材は、略クリップ形状であって、一対のクリップ把持部材と、これらのクリップ把持部材とを基端部で湾曲した状態で連結することによって、弾性力を付与している連結部とから構成され、
前記クリップ把持部材の間に、時計バンドを挟持した状態で固定できるように構成したことを特徴とする。
【００２９】
また、本発明の把持ガイド部材は、前記連結部に、連結ピンの脱落を防止するために連結ピン保持用の貫通穴形状の凹部からなるピンキャッチャー部を形成したことを特徴とする。
【００３０】
また、本発明の腕時計用工具セットは、略箱形状の腕時計用工具セットであって、
下方の箱体本体と、
前記箱体本体の一端に開閉自在に装着された蓋部材と、
前記箱体本体の箱部分に装着された収容部材を備え、
前記収容部材の上面にはそれぞれ、
前記のいずれかに記載の腕時計用工具を収容した収容凹部と、
前記のいずれかに記載の腕時計用工具部品を収容した収容凹部と、
前記に記載の把持ガイド部材を収容する収容凹部と、
が形成されていることを特徴とする。
【００３１】
また、本発明の腕時計用工具セットは、前記収容部材の上面には、前記のいずれかに記載の腕時計用工具を収容した収容凹部が形成されていることを特徴とする
【００３２】
【発明の実施の形態】
以下、本発明の実施の形態（実施例）を図面に基づいて詳細に説明する。
【００３３】
まず、本発明の第１の実施例について図面を用いて説明する。
【００３４】
図１は、本発明の腕時計用工具の第１の実施例であるバンド連結ピン外し工具を示す分解断面図、図２は、この腕時計用工具の組立状態を示す断面図、図３〜図５は、この腕時計用工具の作動状態を説明する断面図である。
【００３５】
まず、第１の実施例の本発明の腕時計用工具の構成を説明する。図１において、２０は、全体で本発明の腕時計用工具を示している。
【００３６】
図１に示したように、腕時計用工具２０は、その上端に、一端が閉じた略円筒状の頭部筒体１を備えており、その内壁には内ネジ部１ａが形成されている。また、この頭部筒体１の下方には、略円筒状の中央筒体２が、中央筒体２の上端の外周に形成された外ネジ部２ａを、頭部筒体１の内ネジ部１ａに螺合することによって装着されている。
【００３７】
また、この中央筒体２の下端には、後述するように先端筒体４の外周に形成された外ネジ部４ａと螺合する内ネジ部２ｂが形成されている。さらに、中央筒体２の中心には、貫通穴２ｃが形成されている。この貫通穴２ｃの下方には、貫通穴２ｃの径よりも小径となった小径穴２ｄを有する仕切部２ｅが形成されている。そして、この仕切部２ｅには、仕切部２ｅの小径穴２ｄから内ネジ部２ｂが形成されている内壁につながる斜面２ｆが形成されている。
【００３８】
そして、これらの頭部筒体１と中央筒体２とを螺合することによって、握持筒体３が構成されている。握持筒体３は、握持し易いように樹脂で被覆されているのが望ましい。
【００３９】
この握持筒体３の下方、すなわち、中央筒体２の下方には、先細り外形を有する略円筒状の先端筒体４が、先端筒体４の上端の外周に形成された外ネジ部４ａを、中央筒体２の下端に形成された内ネジ部２ｂと螺合することによって装着されている。
【００４０】
また、先端筒体４には、中心に貫通穴４ｂが形成されており、この貫通穴４ｂは、下端側、すなわち、先端側の小径穴４ｃへ連続するように形成されている。
【００４１】
そして、これらの頭部筒体１と中央筒体２とからなる握持筒体３と、先端筒体４とを螺合することによって、略円筒状の腕時計用工具２０の工具本体５が構成されている。
【００４２】
そして、図１および図２に示したように、握持筒体３の内部、すなわち、中央筒体２の貫通穴２ｃの内部には、圧縮コイルバネからなる圧縮バネ６と、円柱状の打撃部材７とが、圧縮バネ６のバネ力によって、打撃部材７を下方に付勢した状態で、頭部筒体１と中央筒体２の仕切部２ｅとの間に、摺動可能に収納されている。なお、この状態では、中央筒体２の仕切部２ｅの内径よりも、打撃部材７の外径よりも大きくなっているので、打撃部材７は、中央筒体２の仕切部２ｅに係止されるようになっている。
【００４３】
なお、この打撃部材７は、略有底筒状であって、中心に非貫通穴である中心穴７ａが形成されており、後述するように、この中心穴７ａに、トリガー軸８の上端の小径部８ａが挿通可能となっている。
【００４４】
また、図１および図２に示したように、中央筒体２と先端筒体４との間、すなわち、先端筒体４の貫通穴４ｂの内部には、トリガー軸８と異形コイルバネ９とを組立てて構成したトリガー部材１０と、摺動軸１１とが収容されている。
【００４５】
すなわち、トリガー軸８の上端には、打撃部材７の中心穴７ａに十分なクリアランスを持って挿通可能な小径部８ａが形成され、この小径部８ａは、斜面８ｂを介して大径部８ｃへと連続するように形成されている。さらに、大径部８ｃの下端寄りには、鍔部８ｄが形成されている。この大径部８ｃは、中央筒体２の小径穴２ｄに挿通可能なように構成されている。
【００４６】
一方、異形コイルバネ９は、図１および図２に示したように、その下端９ａのバネ部材の数巻分が、トリガー軸８の大径部８ｃよりも、小径に成形された内径を有しており、しかも、その中心軸が下端９ａにおいて大きく曲折（偏心）するように構成されている。そして、異形コイルバネ９は、下端９ａからトリガー軸８の大径部８ｃへ嵌挿されて、鍔部８ｄに密接するように巻着される。
【００４７】
さらに、摺動軸１１は、上端に大径の頭部１１ａが形成されており、その下端（先端）には、腕時計用工具部品が交換可能に固定される小径の係合部１１ｂが形成されている。このようにトリガー軸８と異形コイルバネ９とを組み立てて構成したトリガー部材１０と、摺動軸１１とは、先端筒体４の内壁との間、すなわち、先端筒体４の貫通穴４ｂとの間に、十分なクリアランスを持って収納される。
【００４８】
すなわち、摺動軸１１の小径の係合部１１ｂが、先端筒体４の小径穴４ｃを貫通して遊
嵌状態で突出するように装着されるが、摺動軸１１の頭部１１ａが先端筒体４の小径穴４ｃよりも径が大きく形成されているので、摺動軸１１が先端筒体４の小径穴４ｃから抜け落ちないように構成されている。
【００４９】
そして、この状態で、トリガー部材１０が、摺動軸１１の頭部１１ａと中央筒体２の仕切部２ｅとの間に、トリガー部材１０のトリガー軸８の下端が、摺動軸１１の頭部１１ａに当接するとともに、異形コイルバネ９の上端が、中央筒体２の仕切部２ｅに当接するように配置されている。
【００５０】
これによって、図２に示したように、異形コイルバネ９のバネ力によって、しかも、異形コイルバネ９の中心軸が下端９ａにおいて大きく曲折（偏心）することによって、トリガー軸８の上端の小径部８ａが、工具本体５の内壁に寄るように、すなわち、トリガー軸８を傾斜させながら、摺動軸１１の方向へ付勢されている。
【００５１】
さらに、摺動軸１１の係合部１１ｂには、係止穴１２ａを圧入することによって、バンド連結ピン外し工具である外しピン１２が固定されている。この外しピン１２は、バンドのバンド連結ピン挿入穴に挿入可能なストレートピン部分１２ｃが形成されている。
【００５２】
この場合、この外しピン１２のストレートピン部分１２ｃの材質は、特に限定されるものではなく、一般の工具鋼、例えば、炭素工具鋼（日本工業規格（ＪＩＳ）：ＳＫ２Ｍ、ＳＫ３Ｍ、ＳＫ４Ｍ、ＳＫ５Ｍ、ＳＫ６Ｍ）や合金工具鋼（日本工業規格（ＪＩＳ）：ＳＫＳ２Ｍ、ＳＫＳ５Ｍ、ＳＫＳ５１Ｍ、ＳＫＳ７Ｍ）を熱処理したものが使用可能である。
【００５３】
また、バンドのバンド連結ピンの抜き取り作業の際、または、調整の際に、曲がったり、折れたりせず、元の状態に容易に復帰できるようにするのが望ましく、外しピン１２のストレートピン部分１２ｃの材質は、超弾性材料から構成するのが好ましい。このような超弾性材料としては、ニッケル・チタン（Ｎｉ−Ｔｉ）、ニッケル・チタン・コバルト（Ｎｉ−Ｔｉ−Ｃｏ）を主成分とする合金からなる超弾性金属材料で形成するのが望ましい。
【００５４】
具体的には、このようなストレートピン部分１２ｃの材質としては、Ｎｉ−Ｔｉ、Ｎｉ−Ｔｉ−Ｃｕ、Ｎｉ−Ｔｉ−Ｆｅ、Ｎｉ−Ｔｉ−Ｎｂ、Ｎｉ−Ｔｉ−Ｚｒ、Ｎｉ−Ｔｉ−Ｈｆ、Ｃｕ−Ｚｎ、Ｃｕ−Ｚｎ−Ａｌ、Ｃｕ−Ｚｎ−Ｓｉ、Ｃｕ−Ａｕ−Ｚｎ、Ｃｕ−Ａｌ、Ｃｕ−Ａｌ−Ｎｉ、Ｆｅ−Ｎｉ−Ａｌ、Ｆｅ−Ｎｉ−Ａｌ−Ｔｉ、Ｆｅ−Ｎｉ−Ｃｏ−Ｔｉ、Ｆｅ−Ｍｎ−Ｓｉ、Ａｇ−Ｃｄ、Ａｕ−Ｃｄ、Ｃｕ−Ｓｎ、Ｃｕ−Ａｕ−Ｚｎ、Ｃｕ−Ｚｎ−Ｂｅ、Ｃｕ−Ｚｎ、Ｎｉ−Ａｌ、Ｆｅ−Ｍｎ−Ｓｉ−Ｃｒ−Ｎｉから選択した１種もしくはそれ以上の合金から選択することができる。
【００５５】
より具体的には、ストレートピン部分１２ｃの材質としては、一例を挙げれば、例えば、Ｎｉが５０ｗｔ％、Ｔｉが５０ｗｔ％のＮｉ−Ｔｉ、Ｎｉが４０ｗｔ％、Ｔｉが６０ｗｔ％のＮｉ−Ｔｉが使用可能である。特に、このような超弾性金属材料は、ストレートピン部分１２ｃが長い外しピン１２の材質として有効である。
【００５６】
次に、このように構成される第１の実施例の腕時計用工具２０の作動について、図２〜図５に基づいて説明する。
【００５７】
先ず、図２の状態の腕時計用工具２０を、その頭部筒体１を手で握持して、その中心位置を図示しない腕時計のバンド連結ピンの軸心に合わせる。
【００５８】
そして、図３に示したように、矢印方向に押圧すると、摺動軸１１が異形コイルバネ９のバネ力に抗して上昇する。この際、摺動軸１１の頭部１１ａがトリガー部材１０を突き上げるが、異形コイルバネ９は仕切部２ｅで止められて圧縮される。
【００５９】
一方、トリガー軸８の小径部８ａの上端は、中央筒体２の斜面２ｆに接触しながら、小径穴２ｄを抜けて打撃部材７を突き上げて行く。それに伴って、打撃部材７を介して圧縮バネ６が圧縮されて、強い力で打撃部材７を押し返すようになる。
【００６０】
さらに腕時計用工具２０の工具本体５を矢印方向に押圧すると、やがて、トリガー軸８の斜面８ｂが、中央筒体２の斜面２ｆに係合することになる。
【００６１】
さらに工具本体５が押圧されると、トリガー軸８の斜面８ｂと仕切部２ｅの斜面２ｆとの作用によって、すなわち、トリガー軸８の斜面８ｂが、仕切部２ｅの斜面２ｆに案内され、トリガー軸８が直立して小径部８ａが中央筒体２の中心に寄せられることになる（図３参照）。
【００６２】
そして、トリガー軸８の小径部８ａの上端が、打撃部材７の下端の端面を滑り、摺動軸１１が所定のストローク摺動したところで圧縮バネ６が設定圧縮量に達し、図４に示したようにトリガー軸８の軸心が工具本体５の軸心とほぼ一致するようになり、トリガー部材１０のトリガー作動が始まる。
【００６３】
すなわち、このとき大径部８ｃは小径穴２ｄへ嵌入し始めると同時に、小径部８ａと打撃部材７の中心穴７ａとが一致する。この瞬間に圧縮バネ６のバネ力は一気に解放されて、強く押されていた打撃部材７の中心穴７ａに、トリガー軸８の小径部８ａが急激に嵌入し、図５に示したように、トリガー軸８と接している摺動軸１１に強い衝撃（打撃力）を与える。なお、打撃部材７が嵌入した際に、打撃部材７が仕切部２ｅには当接しないように、トリガー軸８の小径部８ａの長さを設定してある。
【００６４】
なお、この場合、中央筒体２と頭部筒体１内に配設された圧縮バネ６は、中央筒体２と頭部筒体１との螺合長さを調節することによって、バネ力を調節できるようにしてあり、これによって上記の衝撃の大きさを調節することができるようになっている。
【００６５】
その後、押していた工具本体５を逆方向に引き戻すと、圧縮バネ６の力で打撃部材７が仕切部２ｅに当接するまで戻される。さらに、トリガー部材１０も異形コイルバネ９の力によって、トリガー軸８を押し戻して、摺動軸１１を押し戻す。
【００６６】
そして、トリガー軸８が中心穴７ａから抜けて再び傾斜し、腕時計用工具２０は図２に示すような原位置に復帰する。
【００６７】
なお、第１の実施例では、圧縮バネ６にコイルバネを使用したが、板バネ、波バネ等の使用も可能である。
【００６８】
また、バンド連結ピン外しの工具部品は、図１に示したものに限らず、例えば、断面が楕円形等の異形ピンであってもよく、その他あらゆる形状、用途の工具部品と交換して適用することができる。また、工具部品の摺動軸への係合部は、ストレート軸と軸穴との圧入の他、軸と軸穴の止めネジによる固定、雄ネジと雌ネジとの螺合、凹部と凸部との係合、テーパーを有する軸と軸受との係合の中の少なくとも一つで行っても良い。さらに、工具部品を先端筒体４の小径穴４ｃより小径に形成できるならば、摺動軸１１と一体に形成しても良い。
【００６９】
このように構成される第１の実施例である腕時計用工具２０によれば下記のような作用効果を奏する。
【００７０】
すなわち、腕時計用工具２０の工具本体５内部に、圧縮バネ６、打撃部材７、トリガー部材１０から成る打撃機構を設けたので、バンド連結ピン外し用工具部品を取りつけた腕時計用工具２０先端に従来の静的に押したのでは得られない強い力を加えることができ、錆び付いたピンでも容易に外すことができる。
【００７１】
また、中央筒体２と頭部筒体１との螺合長さを変更することにより、圧縮バネ６の設定圧縮量を加減することができるので、常に摺動軸１１の一定のストロークでトリガー部材１０のトリガー作動をさせながら、腕時計用工具部品に与える衝撃力を容易に調整することができる。
【００７２】
さらに、異形コイルバネ９によりトリガー軸８を傾斜させるように付勢したので、作動の初期の状態では、傾斜したトリガー軸８で打撃部材７を押し上げることができる。そして、中央筒体２に設けた仕切部２ｅの斜面２ｆとトリガー軸８との作用により、摺動軸１１の所定のストローク後にトリガー軸８が直立して、これがトリガーになって、圧縮バネ６が急激に解放されて、打撃部材７を押し出すことができる。
【００７３】
この際、腕時計用工具２０の先端には、静的に押した時の力に比べて、約１５〜２５倍の力が瞬間的に加わることになる。
【００７４】
次に、本発明の第２の実施例について図面を用いて説明する。
【００７５】
図６は、本発明の第２の実施例である腕時計用工具であるバンド連結ピン外し工具の部分断面側面図である。
【００７６】
図６において、３０は、やっとこであり、２１は、やっとこの一方作用部であり、２２は、やっとこの他方作用部であり、２３は、両作用部２１、２２の支点である。一方作用部２１の先端部は略直角に曲がったかぎ部２１ａを成し、その内側輪郭線の延長線Ｌ上に支点２３からの垂線が交差する。
【００７７】
２４は、他方作用部２２の先端外側に取り付けられた外装部品固定治具としての腕時計のバンド受け部材であり、後述の腕時計用工具の工具本体または摺動軸を挿通させる貫通穴２５ａと、この貫通穴２５ａの中心軸が通る近傍の対向する受け面に形成され、外れたバンド連結ピン用の逃げ溝２４ａとが形成されている。
【００７８】
２０は、第１の実施例と同様の構成である腕時計用工具であり、工具本体は、略円筒状で樹脂による被覆はされていない。２５は、他方作用部２２の先端に結合した軸受であり、ここに腕時計用工具２０または摺動軸１１を挿通させる貫通穴２５ａが形成されている。
【００７９】
摺動軸１１の先端には、バンド連結ピン外し工具である外しピン１３を交換可能に取り付けてある。２６は、腕時計用工具２０後端に固着した、あるいは工具本体と一体に形成された頭部であり、一方作用部２１の内側面２１ｂに係合する。２７は、腕時計用工具２０の頭部２６と軸受２５との間の腕時計用工具２０に嵌入した圧縮コイルバネである戻しバネであり、頭部２６を一方作用部２１側へ付勢している。
【００８０】
やっとこ３０は、かぎ部２１ａにより開き角度の上限が規制されている。戻しバネ２７はこのようなコイルバネに限らず、また、両作用部間のどこに配設されていてもよい。
【００８１】
次に、このバンド連結ピン外し工具の作動を説明する。
【００８２】
図示しない腕時計のバンドをバンド受け部材２４に置いて、腕時計用工具２０の軸心とバンド連結ピンの軸心との位置を合わせ、やっとこ３０の把手を握るとやっとこ３０の先端が閉じる。
【００８３】
一方作用部２１の先端部内側面２１ｂが頭部２６の表面を滑りながら押すので、腕時計用工具２０も押し下げられて、外しピン１３がバンド連結ピンを押すようになる。
【００８４】
さらにやっとこ３０の把手を握り続けると、所定のストロークを過ぎたところで、第１の実施例の作動説明のようにして、打撃機構が作動して、バンド連結ピンに強い衝撃が加わる。
【００８５】
このように構成される第２の実施例の腕時計用工具によれば下記のような作用効果を奏する。
【００８６】
腕時計用工具２０がやっとこ３０に固定され、バンドはバンド受け部材２４に固定されるので、バンド連結ピン外しの作業が片手で操作でき一層容易になる。
【００８７】
強い衝撃力でバンド連結ピンを押すので、錆び付いたピンでも、やっとこ３０を従来の力で握ることで、容易にバンドから押し外すことができる。
【００８８】
なお、腕時計用工具部品と腕時計外装部品固定治具（バンド受け部材）を変更すれば、裏蓋やベゼルの外し作業等にも適用できるようになる。
【００８９】
次に、本発明の第３の実施例について図面を用いて説明する。
【００９０】
図７は、本発明の第３の実施例である腕時計の裏蓋またはベゼル開ける工具部品を示す平面図、図８は、図７のＡ−Ａ断面を示す断面図、図９は、摺動軸に固定したところを示す裏蓋またはベゼル開け工具の平面図である。
【００９１】
図７、図８において、３１は腕時計裏蓋またはベゼル開け工具の工具部品であるコジアケであり、第１の実施例で説明したものと同様の腕時計用工具の先端の摺動軸１１に固定されて、裏蓋開けまたはベゼル開け工具となる。
【００９２】
コジアケ３１の先端には鋭角の断面を成すエッジ部３１ａが形成されている。また、コジアケ３１の後端面中央には摺動軸１１との係合部である非貫通の軸穴３１ｃが形成されており、摺動軸１１の係合部１１ｂへ固定するための止めネジ穴３１ｂが上面から軸穴３１ｃまで明けられている。３２は止めネジ穴３１ｂに螺合する止めネジである。
【００９３】
図９に示したように摺動軸１１を先端筒体４に挿通してからコジアケ３１を摺動軸１１の係合部１１ｂに止めネジ３２で固定する。
【００９４】
このように構成される第３の実施例の腕時計用工具によれば下記のような作用効果を奏する。
【００９５】
第１の実施例と同様の腕時計用工具の摺動軸１１にコジアケ３１を固定したので、腕時計の喰い付き構造の裏蓋または腕時計ケースのベゼルを分解する際に、コジアケ口にエッジ部３１ａを係合させて、腕時計用工具本体を押圧すれば、錆び付いて固く固着した裏蓋やベゼルであっても、従来と同じような力で押圧しても強い衝撃力をコジアケ３１に伝えることができて、錆び付いた裏蓋でも容易に開けることができるようになる。
【００９６】
この腕時計用工具は他にレジスターリングの分解作業等にも同様に適用できる。
【００９７】
次に、本発明の第４の実施例について図面を用いて説明する。
【００９８】
図１０は、本発明の腕時計用工具の第４の実施例であるバンド連結ピン外し工具を示す正面図、図１１は、図１０の腕時計用工具の分解断面図、図１２〜図１４は、この腕時計用工具の作動状態を説明する断面図、図１５は、図１０の腕時計用工具に着脱自在に装着する外しピンの着脱状態を説明する部分拡大断面図である。
【００９９】
図１０および図１１において、４０は、全体で本発明の腕時計用工具を示している。
【０１００】
図１０および図１１に示したように、腕時計用工具４０は、その上端に、一端が閉じた略円筒状の頭部筒体４１を備えており、その内壁には内ネジ部４１ａが形成されている。また、この頭部筒体４１の下方には、略円筒状の中央筒体４２が、中央筒体４２の上端の外周に形成された外ネジ部４２ａを、頭部筒体４１の内ネジ部４１ａに螺合することによって装着されている。
【０１０１】
また、この中央筒体４２の下端には、後述するように先端筒体４４の外周に形成された外ネジ部４４ａと螺合する内ネジ部４２ｂが形成されている。さらに、中央筒体４２の中心には、貫通穴４２ｃが形成されている。この貫通穴４２ｃの下方には、貫通穴４２ｃの径よりも小径となった小径穴４２ｄを有する仕切部４２ｅが形成されている。そして、この仕切部４２ｅには、仕切部４２ｅの小径穴４２ｄから内ネジ部４２ｂが形成されている内壁４２ｇにつながる斜面部４２ｆが形成されている。
【０１０２】
そして、これらの頭部筒体４１と中央筒体４２とを螺合することによって、握持筒体４３が構成されている。
【０１０３】
なお、中央筒体４２の下方部分には、手で握持した際に、握持しやすいように小径となった握持テーパー部４２ｈが形成されている。
【０１０４】
この握持筒体４３の下方、すなわち、中央筒体４２の下方には、先細り外形を有する略円筒状の先端筒体４４が、先端筒体４４の上端の小径部４４ｄの外周に形成された外ネジ部４４ａを、中央筒体２の下端に形成された内ネジ部４２ｂと螺合することによって装着されている。
【０１０５】
また、先端筒体４４には、中心に貫通穴４４ｂが形成されており、この貫通穴４４ｂは、下端側、すなわち、先端側の小径穴４４ｃへ連続するように形成されている。
【０１０６】
そして、これらの頭部筒体４１と中央筒体４２とからなる握持筒体４３と、先端筒体４４とを螺合することによって、略円筒状の腕時計用工具４０の工具本体４５が構成されている。
【０１０７】
そして、図１０および図１２に示したように、握持筒体４３の内部、すなわち、中央筒体４２の貫通穴４２ｃの内部には、圧縮コイルバネからなる圧縮バネ４６と、略円柱状の打撃部材４７とが、圧縮バネ４６のバネ力によって、打撃部材４７を下方に付勢した状態で、摺動可能に収納されている。
【０１０８】
打撃部材４７は、略有底筒状であって、中心に非貫通穴である中心穴４７ａが形成されており、後述するように、この中心穴４７ａに、摺動軸５１の上方部分の小径部５１ａが挿通可能となっている。
【０１０９】
また、打撃部材４７の下端には、大径部４７ｂが形成されいるとともに、上端には上端部４７ｃが略ドーム形状に形成されており、この上端部４７ｃから大径部４７ｂの方向に徐々に径が小さくなったテーパー面４７ｄが形成されている。そして、このテーパー面４７ｄの下端から斜面４７ｅを介して大径部４７ｂに連続するように形成されている。
【０１１０】
また、中央筒体４２と先端筒体４４との間、すなわち、中央筒体４２の仕切部４２ｅの下方の貫通穴４２ｃの内壁４２ｇ内には、トリガー軸４８が配設されている。
【０１１１】
このトリガー軸４８は、略円筒形状であって、その上端部が、傾斜した擂り鉢状の当接面４８ａが形成されている。また、トリガー軸４８の中心部には、上下に貫通する貫通穴４８ｂが形成されている。後述するように、この貫通穴４８ｂに、摺動軸５１の上方部分の小径部５１ａが挿通可能となっている。
【０１１２】
また、トリガー軸４８の下方には、摺動軸５１が配設されている。この摺動軸５１は、その上方部分に小径の小径部５１ａが形成されており、その下方部分（先端部分）には、腕時計用工具部品が交換可能に固定される大径の係合部５１ｂが形成されており、その中間部分にさらに大径の係止部５１ｃが形成されている。
【０１１３】
そして、トリガー軸４８の下端４８ｃと摺動軸５１の係止部５１ｃとの間に圧縮コイルバネ４９が介装されている。この圧縮コイルバネ４９のバネ力によって、トリガー軸４８が上方に付勢されて、その上端部の傾斜した擂り鉢状の当接面４８ａが、打撃部材４７の下端の大径部４７ｂに当接するように構成されている。
【０１１４】
これによって、図１２に示したように、圧縮バネ４６のバネ力によって、下方に付勢された打撃部材４７は、打撃部材４７の下端の大径部４７ｂの一端４７ｆが、トリガー軸４８の上端部の傾斜した擂り鉢状の当接面４８ａに案内されるとともに、打撃部材４７の斜面４７ｅの一端４７ｇが、仕切部４２ｅの斜面部４２ｆに案内されることによって、その軸心が内壁４２ｇ側に偏心するようになっている。
【０１１５】
また、この圧縮コイルバネ４９のバネ力によって、摺動軸５１は、下方側に付勢されて、その摺動軸５１の係合部５１ｂが、先端筒体４４の小径穴４４ｃを貫通して遊嵌状態で突出するように装着されるが、摺動軸５１の係止部５１ｃが先端筒体４４の小径穴４４ｃよりも径が大きく形成されているので、摺動軸５１が先端筒体４４の小径穴４４ｃから抜け落ちないように構成されている。
【０１１６】
なお、この場合、打撃部材４７を下方に付勢する圧縮バネ４６のバネ力の方が、トリガー軸４８を上方に付勢する圧縮コイルバネ４９のバネ力よりも、大きく設定されており、これによって、図１２に示したように、使用しない状態では、トリガー軸４８の下端４８ｃが、先端筒体４４の上端の小径部４４ｄに当接した状態で保持されるようになっている。
【０１１７】
また、この状態では、図１２に示したように、摺動軸５１の上方部分の小径部５１ａの上端５１ｄが、貫通穴４８ｂ内に僅かに突出するように、摺動軸５１の上方部分の小径部５１ａの長さが設定されている。
【０１１８】
さらに、摺動軸５１の係合部５１ｂには、図１５に示したように、外しピン係合用溝５１ｅが形成されている。
【０１１９】
一方、図１５に示したように、バンド連結ピン外し工具である外しピン５２には、その中心部に係止穴５２ａが形成されているとともに、時計バンドのバンド連結ピン挿入穴に挿入可能なストレートピン部分５２ｃが形成されている。この係止穴５２ａの内部には、凹溝５２ｄが形成されており、この凹溝５２ｄの内部に、例えば、ゴム、合成樹脂などの弾性部材からなるＯ−リング部材５２ｆが装着されている。
【０１２０】
また、ストレートピン部分５２ｃの基端部には、例えば、シリコンゴム、ウレタンゴムなどの柔軟な部材からなる当接部材５２ｇが設けられている。これによって、腕時計用工具４０を用いて、時計バンドのバンド連結ピンを、時計バンドから取り外す際に、衝撃力によって、外しピン５２が、時計バンドのバンド連結ピン挿入穴の付近に突き当たったとしても、当接部材５２ｇによってその衝撃力を緩和して、時計バンドのバンド連結ピン挿入穴近傍に傷をつけて損傷するのを効果的に防止することができるようになっている。
【０１２１】
このように構成される外しピン５２は、図１５に示したように、外しピン５２の係止穴５２ａ内に、摺動軸５１の係合部５１ｂを挿入することによって、係止穴５２ａ内の凹溝５２ｄに装着されたＯ−リング部材５２ｆが、摺動軸５１の係合部５１ｂの係合用溝５１ｅ内に嵌合することによって、摺動軸５１の係合部５１ｂに着脱自在に装着することができるように構成されている。
【０１２２】
なお、この外しピン５２の代わりに、図１６に示したような、押し込みピン５２'を用いて、時計バンドのバンド連結ピン挿入穴から取り外した連結ピンを、再び連結ピン挿入穴に挿着する際に、腕時計用工具４０を用いるようにしてもよい。
【０１２３】
このため、押し込みピン５２'は、図１６に示したように、図１５に示した外しピン５２のストレートピン部分５２ｃに相当する部分がなく、その代わりに、当接部材５２ｇの中心に、連結ピンが当接する擂り鉢状の凹部５２ｈを設けてある。この擂り鉢状の凹部５２ｈによって、連結ピンを押し込む際にピンが外れてしまうのが防止できる。
【０１２４】
また、押し込みピン５２'は、図１７に示したように、図１５に示した外しピン５２のストレートピン部分５２ｃに相当する部分がなく、その代わりに、当接部材５２ｇの中心に、連結ピンが嵌入する盲穴からなる凹部５２ｈを設けてもよい。この盲穴からなる凹部５２ｈによって、連結ピンを押し込む際にピンが外れてしまうのがより防止でき、例えば、ブリッジピン、ピン、Ｃリングを挿着する際に特に適している。
【０１２５】
なお、その他の構成は、外しピン５２と同様な構成であるので、同じ構成部材には、同じ参照番号を付しておいた。
【０１２６】
このような押し込みピン５２'を用いることによって、連結ピンを凹部５２ｈ内に当接または嵌入した状態で、後述するように腕時計用工具４０を作動することによって、その衝撃力によって、連結ピンを時計バンドの連結ピン挿入穴に挿着することができるように構成されている。
【０１２７】
次に、このように構成される腕時計用工具４０の作動について、図１２〜図１４に基づいて説明する。
【０１２８】
先ず、図１２の状態の腕時計用工具４０を、その頭部筒体４１を手で握持して、その中心位置を図示しない腕時計のバンド連結ピンの軸心に合わせる。
【０１２９】
そして、図１３に示したように、矢印方向に押圧すると、摺動軸５１が圧縮コイルバネ４９のバネ力に抗して上昇する。
【０１３０】
この際、摺動軸５１の上方部分の小径部５１ａの上端５１ｄが、トリガー軸４８の貫通穴４８ｂを貫通して上方に突出して、打撃部材４７の下端の大径部４７ｂの一端４７ｆに当接する。
【０１３１】
なお、この状態では、打撃部材４７は、前述したように、その軸心が内壁４２ｇ側に偏心している状態であるので、摺動軸５１の小径部５１ａの上端５１ｄが、打撃部材４７の中心穴４７ａに嵌入することがない。従って、摺動軸５１の小径部５１ａの上端５１ｄが、打撃部材４７の下端の大径部４７ｂに当接した状態で、圧縮バネ４６に抗して、打撃部材４７が上方に上昇される。
【０１３２】
この際には、圧縮バネ４６と圧縮コイルバネ４９は、それぞれ圧縮されていく。
【０１３３】
また、この状態では、トリガー軸４８は、圧縮コイルバネ４９のバネ力によって、上方に付勢されて、トリガー軸４８の上端部の傾斜した擂り鉢状の当接面４８ａの最上部が、仕切部４２ｅの斜面部４２ｆに当接した状態となり、これ以上上方へは、移動不能となる。
【０１３４】
一方、摺動軸５１が上昇するにつれて、さらに、打撃部材４７が上昇し、打撃部材４７の斜面４７ｅの一端４７ｇが、仕切部４２ｅの斜面部４２ｆに案内されることによって、その軸心が徐々に、内壁４２ｇ側から離れて、中心よりに移動しながら、打撃部材４７が突き上げてられて行く。それに伴って、打撃部材４７を介して圧縮バネ４６が圧縮されて、強い力で打撃部材４７を押し返すようになる。
【０１３５】
さらに腕時計用工具４０の工具本体４５を矢印方向に押圧すると、摺動軸５１の小径部５１ａの上端５１ｄが、トリガー軸４８の貫通穴４８ｂよりさらに上方に突出して、打撃部材４７が上方に押し上げられる。これに伴って、打撃部材４７の略ドーム形状の上端部４７ｃが、中央筒体４２の貫通穴４２ｃの内壁に沿って案内されて、打撃部材４７の軸心が中心よりにさらに移動して、直立して中央筒体４２の中心に寄せられることになる（図１３参照）。
【０１３６】
そして、摺動軸５１が所定のストローク摺動したところで圧縮バネ４６が設定圧縮量に達し、図１４に示したように、打撃部材４７の軸心が工具本体４５の軸心とほぼ一致するようになり、トリガー作動が始まる。
【０１３７】
すなわち、このとき摺動軸５１の小径部５１ａと打撃部材４７の中心穴４７ａとが一致する。この瞬間に圧縮バネ４６のバネ力は一気に解放されて、強く押されていた打撃部材４７の中心穴４７ａに、摺動軸５１の小径部５１ａが急激に嵌入し、図１４に示したように、摺動軸５１に強い衝撃（打撃力）を与える。
【０１３８】
なお、この場合、中央筒体４２と頭部筒体４１内に配設された圧縮バネ４６は、中央筒体４２と頭部筒体４１との螺合長さを調節することによって、バネ力を調節できるようにしてあり、これによって上記の衝撃の大きさを調節することができるようになっている。
【０１３９】
その後、押していた工具本体４５を逆方向に引き戻すと、圧縮バネ４６の力で打撃部材４７が、打撃部材４７の下端の大径部４７ｂの一端４７ｆが、トリガー軸４８の上端部の傾斜した擂り鉢状の当接面４８ａに案内されるとともに、打撃部材４７の斜面４７ｅの一端４７ｇが、仕切部４２ｅの斜面部４２ｆに案内されることによって、その軸心が内壁４２ｇ側に偏心する、図１２に示した初期位置まで戻される。
【０１４０】
さらに、この際に、圧縮コイルバネ４９のバネ力によって、摺動軸５１は、下方側に付勢されて、摺動軸５１を押し戻し、図１２に示した初期位置まで戻される。
【０１４１】
なお、第４実施例でも、図１に示した第１の実施例と同様に、圧縮バネ４６にコイルバネを使用したが、板バネ、波バネ等の使用も可能である。
【０１４２】
また、バンド連結ピン外しの工具部品である外しピン５２は、図１５に示したものに限らず、例えば、断面が楕円形等の異形ピンであってもよく、その他あらゆる形状、用途の工具部品と交換して適用することができる。
【０１４３】
また、工具部品の摺動軸への係合部は、ストレート軸と軸穴との圧入の他、軸と軸穴の止めネジによる固定、雄ネジと雌ネジとの螺合、凹部と凸部との係合、テーパーを有する軸と軸受との係合の中の少なくとも一つで行っても良い。さらに、工具部品を先端筒体４４の小径穴４４ｃより小径に形成できるならば、摺動軸５１と一体に形成しても良い。
【０１４４】
また、外しピン５２のストレートピン部分５２ｃの材質は、バンドのバンド連結ピンの抜き取り作業の際、押し込み作業の際、または、調整の際に、曲がったり、折れたりせず、元の状態に容易に復帰できるように、図１〜図５に示した第１の実施例と同様な材料で作製することができる。
【０１４５】
なお、この第４の実施例の腕時計用工具４０も、図示しないが、図６に示したように、やっとこ３０に固定して用いることも可能であり、また、図７〜図９に示したように、外しピン５２の代わりに、ベゼル開け工具の工具部品であるコジアケ３１を用いることも可能である。
【０１４６】
このように構成される第４の実施例である腕時計用工具４０によれば下記のような作用効果を奏する。
【０１４７】
すなわち、腕時計用工具４０の工具本体４５内部に、圧縮バネ４６、打撃部材４７、トリガー軸４８、圧縮コイルバネ４９、摺動軸５１から成る打撃機構を設けたので、バンド連結ピン外し用工具部品を取りつけた腕時計用工具４０先端に従来の静的に押したのでは得られない強い力を加えることができ、錆び付いたピンでも容易に外すことができる。
【０１４８】
また、中央筒体４２と頭部筒体４１との螺合長さを変更することにより、圧縮バネ４６の設定圧縮量を加減することができるので、常に摺動軸５１の一定のストロークでトリガー部材４０のトリガー作動をさせながら、腕時計用工具部品に与える衝撃力を容易に調整することができる。
【０１４９】
さらに、トリガー軸４８の上端部の傾斜した擂り鉢状の当接面４８ａによって、トリガー軸４８を傾斜させるように付勢したので、作動の初期の状態では、傾斜した打撃部材４７を、摺動軸５１で押し上げることができる。
【０１５０】
そして、打撃部材４７の斜面４７ｅと、仕切部４２ｅの斜面部４２ｆとの作用、ならびに、打撃部材４７の略ドーム形状の上端部４７ｃと、中央筒体４２の貫通穴４２ｃの内壁との作用によって、摺動軸５１の所定のストローク後に打撃部材４７が直立して、これがトリガーになって、打撃部材４７の中心穴４７ａに、摺動軸５１の小径部５１ａに急激に嵌入し、圧縮バネ４６が急激に解放されて、打撃部材４７を押し出すことができる。
【０１５１】
この際、腕時計用工具４０の先端には、静的に押した時の力に比べて、約１５〜２５倍の力が瞬間的に加わることになる。
【０１５２】
次に、本発明の第５の実施例について説明する。
【０１５３】
図１８は、本発明の腕時計用工具の第５の実施例であるバンド連結ピン外し工具を示す正面図、図１９は、図１８の腕時計用工具の分解断面図、図２０〜図２１は、この腕時計用工具の作動状態を説明する断面図である。
【０１５４】
図１８および図１９において、６０は、全体で本発明の腕時計用工具を示している。
【０１５５】
図１８および図１９に示したように、腕時計用工具６０は、その上端に、一端が閉じた略円筒状の上部筒体６１を備えており、その下端の内壁には内ネジ部６１ａが形成されるとともに、外壁には外ネジ部６１ｂが形成されている。
【０１５６】
また、この上部筒体６１の下方には、先細り外形を有する略円筒状の下部筒体６２が、下部筒体６２の上端の内周に形成された内ネジ部６２ａを、上部筒体６１の外ネジ部６１ｂに螺合することによって着脱自在に装着されている。
【０１５７】
さらに、下部筒体６２には、中心に貫通穴６２ｂが形成されており、この貫通穴６２ｂの下端近傍には、フランジ部６２ｃが突設されており、これによって、貫通穴６２ｂの下端に当接部材用凹部６２ｄが形成されている。
【０１５８】
この当接部材用凹部６２ｄには、例えば、シリコンゴム、ウレタンゴムなどの柔軟な部材からなる当接部材６４が設けられている。
【０１５９】
これによって、腕時計用工具６０を用いて、時計バンドのバンド連結ピンを、時計バンドのバンド連結ピン挿入穴から取り外す際に、衝撃力によって、腕時計用工具６０の下部筒体６２の先端が、時計バンドのバンド連結ピン挿入穴の付近に突き当たったとしても、当接部材６４によってその衝撃力を緩和して、時計バンドのバンド連結ピン挿入穴近傍に傷をつけて損傷するのを効果的に防止することができるようになっている。
【０１６０】
また、上部筒体６１の内ネジ部６１ａには、外しピン６６の上端のネジ部６６ａが着脱自在に螺合されている。そして、下部筒体６２の上端の内周に形成された内ネジ部６２ａと、上部筒体６１の外ネジ部６１ｂとの螺合状態を調整することによって、図２０および図２１に示したように、外しピン６６の先端のストレートピン部分６６ｂが、下部筒体６２の当接部材６４の中心に形成された貫通穴６４ａから突出したり、その突出長さを調整したり、または突出しないように調整することができるように構成されている。
【０１６１】
また、これらのネジは、２条や３条ネジを使用することによって、一回転で調整できるストレートピン部分６６ｂの突出長さを大きくすることができ、調整速度を２倍、３倍とすることも可能である。
【０１６２】
また、上部筒体６１には、持ち運びに便利なように、ポケットなどに係止できるように、万年筆のクリップと同様な構造のクリップ部材６１ｃが装着されている。
【０１６３】
さらに、図示しないが、これらの上部筒体６１と下部筒体６２の外表面には、手で握持して操作する際に便利なように、滑り止め防止用の微小な凹凸を設けておくの望ましい。
【０１６４】
また、外しピン６６の先端のストレートピン部分６６ｂの材質は、バンドのバンド連結ピンの押し込み作業の際、または、調整の際に、曲がったり、折れたりせず、元の状態に容易に復帰できるように、図１〜図５に示した第１の実施例と同様な材料で作製することができる。
【０１６５】
次に、このように構成される腕時計用工具６０の作動について、図２０〜図２１に基づいて説明する。
【０１６６】
この第５の実施形態の腕時計用工具６０は、基本的には、図１〜図５に示した第１の実施形態の腕時計用工具２０、図６に示した第２の実施例であるやっとこ３０を用いた腕時計用工具２０、ならびに図１０〜図１５に示した第４の実施例の腕時計用工具４０を用いて、時計バンドのバンド連結ピン挿入穴から連結ピンを取り外した後に、連結ピン挿入穴から連結ピンが完全に抜け切れない状態の場合に、連結ピンを取り外すために用いるものである。
【０１６７】
なお、時計バンドの連結ピンを取り外すために、腕時計用工具２０、４０を用いなくても連結ピンの取り外しが可能な場合には、この腕時計用工具６０を連結ピンの取り外しに使用できることはもちろんである。
【０１６８】
図２０に示したような、外しピン６６の先端のストレートピン部分６６ｂが、下部筒体６２の当接部材６４の中心に形成された貫通穴６４ａから突出しない初期の状態の腕時計用工具６０から、下部筒体６２の上端の内周に形成された内ネジ部６２ａと、上部筒体６１の外ネジ部６１ｂとの螺合状態を、上部筒体６１と下部筒体６２を把持して、相互に反対方向に螺合状態を緩める方向に回転することによって調整する。
【０１６９】
これによって、図２１に示したように、外しピン６６の先端のストレートピン部分６６ｂが、下部筒体６２の当接部材６４の中心に形成された貫通穴６４ａから突出するように長さを調整する。
【０１７０】
そして、上記のような、時計バンドのバンド連結ピン挿入穴から連結ピンが完全に抜け切れない状態のバンド連結ピン挿入穴に、外しピン６６の先端のストレートピン部分６６ｂを、手でまたは金槌などの衝撃力により押し込むことによって、バンド連結ピン挿入穴から連結ピンを完全に抜くことができるようになっている。
【０１７１】
そして、使用後には、下部筒体６２の上端の内周に形成された内ネジ部６２ａと、上部筒体６１の外ネジ部６１ｂとの螺合状態を、上部筒体６１と下部筒体６２を把持して、相互に反対方向に螺合状態を締める方向に回転することによって、外しピン６６の先端のストレートピン部分６６ｂが、下部筒体６２の当接部材６４の中心に形成された貫通穴６４ａから突出しない図２０に示したような初期の状態に復帰させればよい。
【０１７２】
なお、外しピン６６は、上部筒体６１の内ネジ部６１ａに、外しピン６６の上端のネジ部６６ａを着脱自在に螺合することによって、その種類を選択して交換できるように構成されている。
【０１７３】
この外しピン６６の種類としては、外しピン６６の先端のストレートピン部分６６ｂを有するものの他、例えば、図１６〜図１７に示したように、外しピン６６の先端に凹部５２ｈを有する押し込みピン形状のものなどが使用可能である。
【０１７４】
このように構成される第５の実施形態の腕時計用工具６０によれば、下部筒体６２の上端の内周に形成された内ネジ部６２ａと、上部筒体６１の外ネジ部６１ｂとの螺合状態を調整することによって、外しピン６６の先端のストレートピン部分６６ｂが、下部筒体６２の当接部材６４の中心に形成された貫通穴６４ａから突出する長さを簡単に調整することができる。
【０１７５】
従って、従来、長いストレートピン部を有する腕時計用工具を使用していたため、外しピンが折れ易かったが、本発明の腕時計用工具６０では、ストレートピン部分６６ｂを適正な長さに調整可能であるので、外しピンが極めて折れにくくなった。
【０１７６】
そして、腕時計用工具２０、４０を用いて、時計バンドのバンド連結ピン挿入穴から連結ピンを取り外した後に、時計バンドのバンド連結ピン挿入穴から連結ピンが完全に抜け切れない状態のバンド連結ピン挿入穴に用いることによって、バンド連結ピン挿入穴に、外しピン６６の先端のストレートピン部分６６ｂを押し込むことによって、バンド連結ピン挿入穴から連結ピンを完全にかつ簡単に抜くことができ極めて便利である。
【０１７７】
なお、本発明の腕時計用工具６０では、時計バンドのバンド連結ピン挿入穴に連結ピンを押し込む場合にも使用することができることはもちろんである。
【０１７８】
次に、本発明の第６の実施の実施例について説明する。
【０１７９】
図２２は、本発明の腕時計用工具の腕時計用工具セットの上面図、図２３は、図２２の腕時計用工具セットの把持ガイド部材の斜視図、図２４は、図２２の把持ガイド部材と腕時計用工具を用いて、時計バンドのバンド連結ピン挿入穴から連結ピンを取り外す作業の一例を示す斜視図である。
【０１８０】
図２２において、７０は、全体で本発明の腕時計用工具の腕時計用工具セットを示している。
【０１８１】
腕時計用工具セット７０は、略箱形状であって、下方の箱体本体７１と、この箱体本体７１の一端に蝶番部材７２を介して、開閉自在に装着された蓋部材７３と、箱体本体７１の箱部分７４に装着された収容部材７５を備えている。
【０１８２】
この下方の箱体本体７１と蓋部材７３とは、箱体本体７１の前方の側壁７１ａから突設した係止片７１ｂを、蓋部材７３の前方の側壁７３ａに形成した係止用凹部７３ｂに着脱自在に係止することによって、閉蓋固定することができるように構成されている。
【０１８３】
また、収容部材７５の上面にはそれぞれ、図１０に示した本発明の腕時計用工具の第４の実施例であるバンド連結ピン外し工具４０を収容する第１の収容凹部７６、図１８の腕時計用工具の第５の実施例であるバンド連結ピン外し工具６０を収容する第２の収容凹部７７と、図１５に示したような外しピン５２を収容する第３の収容凹部７８と、図１６に示したような押し込みピン５２'を収容する第４の収容凹部７９が形成されている。
さらに、収容部材７５の上面には、把持ガイド部材８１を収容する第５の収容凹部８０が形成されている。
【０１８４】
なお、収容部材７５は、例えば、スポンジ、発泡材などの柔軟な材質から構成されており、これらのバンド連結ピン外し工具４０、６０、外しピン５２、押し込みピン５２'が、運搬の際に相互にぶつかって傷つかないようになっている。
【０１８５】
なお、この実施例のバンド連結ピン外し工具４０では、持ち運びに便利なように、ポケットなどに係止できるように、万年筆のクリップと同様な構造のクリップ部材５６ｃが装着されている。
【０１８６】
また、この実施例のバンド連結ピン外し工具４０では、予め、外しピン５２が装着された状態で、第１の収容凹部７６内に収容されており、図示しないが、この外しピン５２が損傷しないように、円筒形状の保護部材８６が着脱自在に装着されている。
【０１８７】
一方、把持ガイド部材８１は、略クリップ形状であって、一対のクリップ把持部材８２，８３と、これらのクリップ把持部材８２，８３とを基端部で湾曲した状態で連結することによって、弾性力を付与している連結部８４とから構成されている。
【０１８８】
そして、これらのクリップ把持部材８２，８３の内端部８２ａ、８３ａが相互に当接して、クリップ把持部材８２，８３の先端部８２ｂ、８３ｂが開いた状態となるように構成されている。
【０１８９】
また、クリップ把持部材８２，８３の先端部８２ｂ、８３ｂの外側面には、テーパー面８２ｃ、８３ｃが形成されており、指で把持しやすいようになっている。
【０１９０】
また、クリップ把持部材８２，８３の連結部８４の内側が、略円筒形の貫通穴形状の凹部であるピンキャッチャー部８５が設けられており、これにより、図２３（Ｂ）に示したように、バンド連結ピン挿入穴から連結ピンを取り外した際に、連結ピン９４が、落下して紛失したりすることがないように、このピンキャッチャー部８５にて、連結ピン９４のピン先端部（頭部）９６を把持できるようになっている。
【０１９１】
このような把持ガイド部材８１の材質としては、特に限定されるものではないが、把持した際に、時計バンドが傷つかないように、柔軟な部材、例えば、シリコンゴム、ウレタンゴムなどのゴム、ポリエチレン、ポリプロピレンなどの合成樹脂などから作製するのが望ましい。
【０１９２】
このように構成される把持ガイド部材８１は、例えば、図２４に示したように、図２２の把持ガイド部材８１と腕時計用工具４０を用いて、腕時計９０の時計バンド９２のバンド連結ピン挿入穴から連結ピンを取り外す作業に用いればよい。
【０１９３】
すなわち、図２４に示したように、把持ガイド部材８１を手で把持して、クリップ把持部材８２，８３の間に、腕時計９０の時計バンド９２を挟持した状態で固定して、腕時計用工具４０を用いて、上述したように、腕時計９０の時計バンド９２のバンド連結ピン挿入穴から連結ピンを取り外すようにすればよい。
【０１９４】
なお、この把持ガイド部材８１は、このような腕時計用工具４０を用いた取り外し作業の他、腕時計用工具４０において押し込みピン５２'を用いた押し込み作業の際、ならびに腕時計用工具６０を用いた取り外し作業の際にも使用できる。
【０１９５】
このような把持ガイド部材８１を用いることによって、取り外し作業、押し込み作業などの際に、腕時計９０の時計バンド９２を挟持した状態で固定できるので、作業性が極めて向上することになる。
【０１９６】
また、このような腕時計用工具セット７０によれば、箱体本体７１の箱部分７４に装着された収容部材７５の収容凹部７６〜８０に、バンド連結ピン外し工具４０、６０、外しピン５２、押し込みピン５２'、ならびに、把持ガイド部材８１がセットになって、収容されているので、持ち運びにも便利であるとともに、取り外し作業、押し込み作業などのいずれの作業においても使用でき汎用性が向上することになる。
【０１９７】
なお、上記実施例では、箱体本体７１の箱部分７４に装着された収容部材７５の収容凹部７６〜８０に、バンド連結ピン外し工具４０、６０、外しピン５２、押し込みピン５２'、ならびに、把持ガイド部材８１をセットで収容したが、このセットはこれに限定されるものではなく、例えば、コジアケ３１を収容するなど適宜変更することが可能である。
【発明の効果】
本発明によれば、腕時計用工具の工具本体内部に、圧縮バネ、打撃部材、トリガー部材から成る打撃機構を設けたので、バンド連結ピン外し用工具部品を取りつけた腕時計用工具先端に従来の静的に押したのでは得られない強い力を加えることができ、錆び付いたピンでも容易に外すことができる。
【０１９８】
また、本発明によれば、中央筒体と頭部筒体との螺合長さを変更することにより、圧縮バネの設定圧縮量を加減することができるので、常に摺動軸の一定のストロークでトリガー部材のトリガー作動をさせながら、腕時計用工具部品に与える衝撃力を容易に調整することができる。
【図面の簡単な説明】
【図１】  図１は、本発明の腕時計用工具の第１の実施例であるバンド連結ピン外し工具を示す分解断面図である。
【図２】  図２は、この腕時計用工具の組立状態を示す断面図である。
【図３】  図３は、この腕時計用工具の作動状態を説明する断面図である。
【図４】  図４は、この腕時計用工具の作動状態を説明する断面図である。
【図５】  図５は、この腕時計用工具の作動状態を説明する断面図である。
【図６】  図６は、本発明の第２の実施例である腕時計用工具であるバンド連結ピン外し工具の部分断面側面図である。
【図７】  図７は、本発明の第３の実施例である腕時計の裏蓋またはベゼル開ける工具部品を示す平面図である。
【図８】  図８は、図７のＡ−Ａ断面を示す断面図である。
【図９】  図９は、摺動軸に固定したところを示す裏蓋またはベゼル開け工具の平面図である。
【図１０】  図１０は、本発明の腕時計用工具の第４の実施例であるバンド連結ピン外し工具を示す正面図である。
【図１１】  図１１は、図１０の腕時計用工具の分解断面図である。
【図１２】  図１２は、この腕時計用工具の作動状態を説明する断面図である。
【図１３】  図１３は、この腕時計用工具の作動状態を説明する断面図である。
【図１４】  図１４は、この腕時計用工具の作動状態を説明する断面図である。
【図１５】  図１５は、図１０の腕時計用工具に着脱自在に装着する外しピンの着脱状態を説明する部分拡大断面図である。
【図１６】  図１６は、図１０の腕時計用工具に着脱自在に装着する押し込みピンの部分拡大断面図である。
【図１７】  図１７は、図１０の腕時計用工具に着脱自在に装着する押し込みピンの部分拡大断面図である。
【図１８】  図１８は、本発明の腕時計用工具の第５の実施例であるバンド連結ピン外し補助工具を示す正面図である。
【図１９】  図１９は、図１８の腕時計用工具の分解断面図である。
【図２０】  図２０は、この腕時計用工具の作動状態を説明する断面図である。
【図２１】  図２１は、この腕時計用工具の作動状態を説明する断面図である。
【図２２】  図２２は、本発明の腕時計用工具の腕時計用工具セットの上面図である。
【図２３】  図２３（Ａ）は、図２２の腕時計用工具セットの把持ガイド部材の斜視図、図２３（Ｂ）はその使用状態の一例を示す上面概略図である。
【図２４】  図２４は、図２２の把持ガイド部材と腕時計用工具を用いて、時計バンドのバンド連結ピン挿入穴から連結ピンを取り外す作業の一例を示す斜視図である。
【符号の説明】
１     頭部筒体
１ａ   内ネジ部
２     中央筒体
２ａ   外ネジ部
２ｂ   内ネジ部
２ｃ   貫通穴
２ｄ   小径穴
２ｅ   仕切部
２ｆ   斜面
３     握持筒体
４     先端筒体
４ａ   外ネジ部
４ｂ   貫通穴
４ｃ   小径穴
５     工具本体
６     圧縮バネ
７     打撃部材
７ａ   中心穴
８     トリガー軸
８ａ   小径部
８ｂ   斜面
８ｃ   大径部
８ｄ   鍔部
９     異形コイルバネ
９ａ   下端
１０   トリガー部材
１１   摺動軸
１１ａ 頭部
１１ｂ 係合部
１２ｃ ストレートピン部分
１２   外しピン
１２ａ 係止穴
１３   外しピン
２０   腕時計用工具
２１   一方作用部
２１ｂ 先端部内側面
２１ａ かぎ部
２２   他方作用部
２３   支点
２４   バンド受け部材
２４ａ 逃げ溝
２５ａ 貫通穴
２５   軸受
２６   頭部
２７   戻しバネ
３１   コジアケ
３１ａ エッジ部
３１ｂ ネジ穴
３１ｃ 軸穴
３２   ネジ
４０   腕時計用工具
４１ａ 内ネジ部
４１   頭部筒体
４２   中央筒体
４２ａ 外ネジ部
４２ｂ 内ネジ部
４２ｃ 貫通穴
４２ｄ 小径穴
４２ｅ 仕切部
４２ｆ 斜面部
４２ｇ 内壁
４２ｈ 握持テーパー部
４３   握持筒体
４４   先端筒体
４４ａ 外ネジ部
４４ｂ 貫通穴
４４ｃ 小径穴
４４ｄ 小径部
４５   工具本体
４６   圧縮バネ
４７   打撃部材
４７ａ 中心穴
４７ｂ 大径部
４７ｃ 上端部
４７ｄ テーパー面
４７ｅ 斜面
４８   トリガー軸
４８ａ 当接面
４８ｂ 貫通穴
４８ｃ 下端
４９   圧縮コイルバネ
５１   摺動軸
５１ａ 小径部
５１ｂ 係合部
５１ｃ 係止部
５１ｄ 上端
５１ｅ ピン係合用溝
５２ｃ ストレートピン部分
５２   外しピン
５２ａ 係止穴
５２ｄ 凹溝
５２ｆ リング部材
５２ｇ 当接部材
５２ｈ 凹部
５６ｃ クリップ部材
６０   腕時計用工具
６１   上部筒体
６１ａ 内ネジ部
６１ｂ 外ネジ部
６１ｃ クリップ部材
６２   下部筒体
６２ａ 内ネジ部
６２ｂ 貫通穴
６２ｃ フランジ部
６２ｄ 当接部材用凹部
６４   当接部材
６４ａ 貫通穴
６６   外しピン
６６ａ ネジ部
６６ｂ ストレートピン部分
７０   腕時計用工具セット
７１   箱体本体
７１ａ 側壁
７１ｂ 係止片
７２   蝶番部材
７３   蓋部材
７３ａ 側壁
７３ｂ 係止用凹部
７４   箱部分
７５   収容部材
７６   収容凹部
７７   収容凹部
７８   収容凹部
７９   収容凹部
８０   収容凹部
８１   把持ガイド部材
８２，８３    クリップ把持部材
８２ａ 内端部
８２ｂ 先端部
８２ｃ テーパー面
８４   連結部
８５   ピンキャッチャー部
８６   保護部材
９０   腕時計
９２   時計バンド
９４   連結ピン
【図１】
0004163008.tif 000002
【図２】
0004163008.tif 000003
【図３】
0004163008.tif 000004
【図４】
0004163008.tif 000005
【図５】
0004163008.tif 000006
【図６】
0004163008.tif 000007
【図７】
0004163008.tif 000008
【図８】
0004163008.tif 000009
【図９】
0004163008.tif 000010
【図１０】
0004163008.tif 000011
【図１１】
0004163008.tif 000012
【図１２】
0004163008.tif 000013
【図１３】
0004163008.tif 000014
【図１４】
0004163008.tif 000015
【図１５】
0004163008.tif 000016
【図１６】
0004163008.tif 000017
【図１７】
0004163008.tif 000018
【図１８】
0004163008.tif 000019
【図１９】
0004163008.tif 000020
【図２０】
0004163008.tif 000021
【図２１】
0004163008.tif 000022
【図２２】
0004163008.tif 000023
【図２３】
0004163008.tif 000024
【図２４】
0004163008.tif 000025